(57)【要約】  コンテンツをディスプレイする方法及びデバイスに係り、該方法は、画面にコンテンツがディスプレイされているとき、レファレンスコンテンツに対する設定入力を受信し、設定入力が受信されたページに含まれたコンテンツの分割を示す分割ラインをデバイスの画面にディスプレイし、分割ラインに基づいて分割されたコンテンツに対する選択入力を受信し、選択入力に基づいて選択されたコンテンツを、レファレンスコンテンツとして設定する段階を含む。
2016534485.tif 000002
【特許請求の範囲】
【請求項１】
デバイスにおいて、
レファレンスコンテンツに対する設定入力を受信するように構成されたユーザ入力と、
コンテンツをディスプレイするように構成されたディスプレイと、
前記ディスプレイに前記コンテンツがディスプレイされているとき、前記レファレンスコンテンツに対する設定入力を受信し、前記設定入力が受信されたページに含まれた前記コンテンツの分割を示す分割ラインを、前記ディスプレイにディスプレイし、前記分割ラインに基づいて分割されたコンテンツに対する選択入力を受信し、前記選択入力に基づいて選択された前記コンテンツを、前記レファレンスコンテンツとして設定する制御器と、を含むデバイス。
【請求項２】
前記制御器は、
前記ページに含まれた前記コンテンツのレイアウト情報に基づいて、前記分割ラインを生成することを特徴とする請求項１に記載のデバイス。
【請求項３】
前記制御器は、
前記ページに含まれた前記コンテンツがディスプレイされている第１ウィンドウと独立した第２ウィンドウに、前記レファレンスコンテンツをディスプレイし、
前記制御器は、前記ユーザ入力を介する、前記第２ウィンドウに対する隠し要請入力受信に応答し、前記第２ウィンドウを隠すために、前記第２ウィンドウのディスプレイレイヤを、前記第１ウィンドウのディスプレイレイヤよりさらに低く設定することを特徴とする請求項１に記載のデバイス。
【請求項４】
前記制御器は、前記ユーザ入力を介する、前記レファレンスコンテンツに対する実行命令受信に応答し、前記第２ウィンドウ内で、前記レファレンスコンテンツを実行させることを特徴とする請求項３に記載のデバイス。
【請求項５】
前記制御器は、前記ユーザ入力を介した、前記レファレンスコンテンツに対するノート要請入力受信に応答し、前記レファレントコンテンツに係わるノートを入力するための第３ウィンドウを開くことを特徴とする請求項３に記載のデバイス。
【請求項６】
前記制御器は、前記ユーザ入力を介した、前記第３ウィンドウに対する隠し要請入力受信に応答し、前記第３ウィンドウを閉じたり隠したりすることを特徴とする請求項５に記載のデバイス。
【請求項７】
前記制御器は、前記ユーザ入力を介した前記レファレンスコンテンツ設定解除入力受信に応答し、前記第２ウィンドウを閉じることを特徴とする請求項３に記載のデバイス。
【請求項８】
前記制御器は、前記分割ラインがディスプレイされた後、前記ユーザ入力を介した分割ライン設定入力受信に応答し、前記ディスプレイに追加分割ラインをディスプレイすることを特徴とする請求項１に記載のデバイス。
【請求項９】
前記制御器は、前記分割ラインがディスプレイされた後、前記ユーザ入力を介する分割ライン削除入力受信に応答し、前記分割ラインの一部または全部を削除することを特徴とする請求項１に記載のデバイス。
【請求項１０】
前記制御器は、前記コンテンツのディスプレイが変更される間、前記ディスプレイ上に前記レファレンスコンテンツのディスプレイを維持することを特徴とする請求項１に記載のデバイス。
【請求項１１】
前記制御器は、前記レファレンスコンテンツを外部ディスプレイデバイスに出力することを特徴とする請求項１に記載のデバイス。
【請求項１２】
コンテンツがデバイスのディスプレイ上にディスプレイされる間、レファレンスコンテンツに対する設定入力をデバイスによって受信する段階と、
前記設定入力が受信されたページに含まれた前記コンテンツの分割を示す分割ラインを、前記ディスプレイ上にディスプレイする段階と、
前記分割ラインに基づいて分割されたコンテンツに対する選択入力を受信する段階と、
前記選択入力に基づいて選択された前記コンテンツを、前記レファレンスコンテンツとして設定する段階と、を含むコンテンツディスプレイ方法。
【請求項１３】
前記コンテンツを設定する段階は、前記ページに含まれたコンテンツがディスプレイされる第１ウィンドウと独立した第２ウィンドウに、前記レファレンスコンテンツをディスプレイする段階を含むことを特徴とする請求項１２に記載のコンテンツディスプレイ方法。
【請求項１４】
前記方法は、
前記レファレンスコンテンツに対する隠し要請入力受信に応答し、前記第２ウィンドウを隠すために、前記第１ウィンドウのディスプレイレイヤより前記第２ウィンドウのディスプレイレイヤをさらに低く設定する段階と、
前記第２ウィンドウの隠し状態を示す表示を、前記第１ウィンドウ内のディスプレイ位置、前記第１ウィンドウの境界ライン、及び前記第１ウィンドウに隣接したディスプレイ位置のうち少なくとも一つにディスプレイする段階と、を含むことを特徴とする請求項１３に記載のコンテンツディスプレイ方法。
【請求項１５】
前記方法は、前記レファレンスコンテンツに対する実行命令受信に応答し、前記第２ウィンドウで、前記レファレンスコンテンツを実行する段階をさらに含むことを特徴とする請求項１３に記載のコンテンツディスプレイ方法。
【発明の詳細な説明】
【技術分野】
【０００１】
本発明は、コンテンツディスプレイに関する。
【背景技術】
【０００２】
通信技術及びデバイスの急速な発展の結果として、増加する量のコンテンツを１つのデバイスを利用して見ることができるようになった。例えば、絵、写真、動画、ニュース、本、論文、文書のようなコンテンツを、１つのデバイスを介して見ることができるようになった。
【０００３】
しかし、デバイスの画面サイズにより、同一時間に見ることができるコンテンツが制限的である。特に、ユーザが同時に見ることを願うコンテンツが互いに離れている場合、１画面を介してコンテンツを見難い。
【発明の概要】
【発明が解決しようとする課題】
【０００４】
１以上の望ましい実施例の側面は、互いに離れているコンテンツを１画面を介して同時に見ることができるコンテンツディスプレイ方法、及びそのためのデバイスを提供するところにある。
【０００５】
追加的な側面は、下記の詳細な説明で部分的に説明されるが、部分的に詳細な説明から明白であったり望ましかったりする実施形態の実施によって習得されるのである。
【課題を解決するための手段】
【０００６】
望ましい一実施形態の一側面によって、コンテンツディスプレイ方法が提供され、前記方法は、画面にコンテンツがディスプレイされているとき、デバイスによって、レファレンスコンテンツ設定入力を受信する段階と、前記設定入力が受信されたページに含まれたコンテンツの分割を示す分割ラインを、前記画面上にディスプレイする段階と、前記分割ラインに基づいて分割されたコンテンツに対する選択入力を受信する段階と、前記選択入力に基づいて選択されたコンテンツを、レファレンスコンテンツとして設定する段階と、を含む。
【０００７】
前記分割ラインは、仮想の分割ラインにもなる。
【０００８】
前記分割ラインをディスプレイする段階は、前記ページに含まれたコンテンツのレイアウト情報に基づいて、前記分割ラインを生成する段階を含んでもよい。
【０００９】
前記コンテンツを設定する段階は、前記ページに含まれたコンテンツがディスプレイされている第１ウィンドウと独立した第２ウィンドウに、前記レファレンスコンテンツをディスプレイする段階を含んでもよい。
【００１０】
前記方法は、前記レファレンスコンテンツに対する隠し要請入力受信に応答し、前記第２ウィンドウを隠すために、前記第２ウィンドウのディスプレイレイヤを、前記第１ウィンドウのディスプレイレイヤよりさらに低くなるように設定する段階をさらに含んでもよい。
【００１１】
前記方法は、前記レファレンスコンテンツに対する隠し要請入力受信に応答し、前記第２ウィンドウを隠すために、前記第２ウィンドウのディスプレイレイヤを、前記第１ウィンドウのディスプレイレイヤよりさらに低くなるように設定し、前記第２ウィンドウの隠し状態を示す表示を、前記第１ウィンドウ内に、ディスプレイ位置、前記第１ウィンドウの境界ライン、及び前記第１ウィンドウに隣接したディスプレイ位置のうち少なくとも一つにディスプレイする段階をさらに含んでもよい。
【００１２】
前記方法は、前記レファレンスコンテンツに対する実行命令受信に応答し、前記第２ウィンドウ内で、前記レファレンスコンテンツを実行させる段階をさらに含んでもよい。
【００１３】
前記方法は、前記レファレンスコンテンツに対するノート要請入力受信に応答し、前記レファレントコンテンツに係わるノートを入力することができる第３ウィンドウを開く段階をさらに含んでもよい。
【００１４】
前記第３ウィンドウを開く段階は、前記第３ウィンドウを、前記第２ウィンドウに隣接した位置、または第２ウィンドウ上に不透明な状態でディスプレイする段階を含んでもよい。
【００１５】
前記方法は、前記第３ウィンドウに対する隠し要請入力受信に応答し、前記第３ウィンドウを閉じたり隠したりする段階をさらに含んでもよい。
【００１６】
前記方法は、前記第３ウィンドウに対する隠し要請入力受信に応答し、前記第３ウィンドウを閉じながら、前記第２ウィンドウ内に、ディスプレイ位置、前記第２ウィンドウの境界ライン、及び前記第２ウィンドウに隣接したディスプレイ位置のうち少なくとも一つに、前記第３ウィンドウの隠し状態を示す表示をディスプレイする段階をさらに含んでもよい。
【００１７】
前記コンテンツを設定する段階は、前記第２ウィンドウをトップレイヤとしてディスプレイする段階をさらに含んでもよい。
【００１８】
前記方法は、前記デバイスからの前記レファレンスコンテンツに対する設定解除入力受信に応答し、前記第２ウィンドウを閉じる段階を含んでもよい。
【００１９】
前記コンテンツを設定する段階は、前記第２ウィンドウ内に、ディスプレイ位置、前記第２ウィンドウの境界ライン、及び前記第２ウィンドウに隣接したディスプレイ位置のうち少なくとも一つに、前記レファレンスコンテンツを示す表示をディスプレイする段階をさらに含んでもよい。
【００２０】
前記方法は、前記分割ラインがディスプレイされた後、分割ライン設定入力受信に応答し、追加分割ラインをディスプレイする段階をさらに含んでもよい。
【００２１】
前記方法は、前記分割ラインがディスプレイされた後、分割ライン削除入力受信に応答し、前記分割ラインの一部または全部を削除する段階をさらに含んでもよい。
【００２２】
前記入力または前記命令は、タッチ基盤ジェスチャによって受信されることができる。
【００２３】
他の望ましい実施形態の一側面によって、デバイスが提供される。該デバイスは、レファレンスコンテンツに対する設定入力を受信するように構成されたユーザ入力と、コンテンツをディスプレイするように構成されたディスプレイと、前記ディスプレイ部に前記コンテンツがディスプレイされている間、前記レファレンスコンテンツに対する設定入力を受信し、前記設定入力が受信されたページに含まれたコンテンツの分割を示す分割ラインを、前記ディスプレイ部にディスプレイし、前記分割ラインに基づいて分割されたコンテンツに対する選択入力を受信し、前記選択入力に基づいて選択された前記コンテンツを、前記レファレンスコンテンツとして設定するように構成された制御器と、を含む。
【００２４】
他の望ましい実施形態の一側面によって、コンテンツ設定方法を提供する。前記方法は、画面上にディスプレイされているコンテンツに対する分割ラインをディスプレイするために、分割ライン入力を、デバイスによって受信する段階と、前記分割ラインに基づいて分割された前記コンテンツの一部に対する選択入力を受信する段階と、前記選択入力に基づいて選択された前記コンテンツの前記一部を、レファレンスコンテンツとして設定する段階と、を含む。
【００２５】
他の望ましい実施形態の一側面によって、コンテンツディスプレイ方法を実行するためのプログラムが記録されたコンピュータで読み取り可能な記録媒体を提供する。
【発明の効果】
【００２６】
本発明によれば、互いに離れているコンテンツを１画面を介して同時に見ることができる。
【図面の簡単な説明】
【００２７】
それらの側面及び／または他の側面は、同封された図面と共に説明される望ましい実施形態の以下の説明から明らかに、そしてさらに容易に理解されるであろう。
【図１Ａ】１以上の望ましい実施形態による、コンテンツ及びレファレンスコンテンツについて説明するための図面である。
【図１Ｂ】１以上の望ましい実施形態による、コンテンツ及びレファレンスコンテンツについて説明するための図面である。
【図１Ｃ】１以上の望ましい実施形態による、コンテンツ及びレファレンスコンテンツについて説明するための図面である。
【図２Ａ】１以上の望ましい実施形態による、レファレンスコンテンツのウィンドウと、コンテンツのウィンドウとの関係について説明するための図面である。
【図２Ｂ】１以上の望ましい実施形態による、レファレンスコンテンツのウィンドウと、コンテンツのウィンドウとの関係について説明するための図面である。
【図２Ｃ】１以上の望ましい実施形態による、レファレンスコンテンツのウィンドウと、コンテンツのウィンドウとの関係について説明するための図面である。
【図３】望ましい一実施形態による、デバイスによって遂行されるコンテンツディスプレイ方法のフローチャートである。
【図４】図３の方法によるデバイスの画面上にディスプレイされているコンテンツの図面を図示する図面である。
【図５】望ましい一実施形態による、レファレンスコンテンツを設定するための入力について説明するための図面である。
【図６Ａ】望ましい一実施形態による、分割されたコンテンツに対する選択入力について説明するための図面である。
【図６Ｂ】望ましい一実施形態による、分割されたコンテンツに対する選択入力について説明するための図面である。
【図７】望ましい一実施形態による、デバイスによって遂行されるコンテンツディスプレイ方法のフローチャートである。
【図８】望ましい一実施形態による、レファレンスコンテンツのウィンドウを隠す動作による画面の図面である。
【図９】望ましい他の実施形態による、デバイスによって遂行されるコンテンツディスプレイ方法のフローチャートである。
【図１０】望ましい一実施形態による、レファレンスコンテンツが設定された後、コンテンツをディスプレイする図面である。
【図１１】望ましい他の実施形態による、デバイスによって遂行されるコンテンツディスプレイ方法のフローチャートである。
【図１２Ａ】１以上の望ましい一実施形態による、ノートウィンドウを開いたり閉じたりした画面の図面である。
【図１２Ｂ】１以上の望ましい一実施形態による、ノートウィンドウを開いたり閉じたりした画面の図面である。
【図１３】望ましい他の実施形態による、デバイスによって遂行されるコンテンツディスプレイ方法のフローチャートである。
【図１４】望ましい他の実施形態による、デバイスによって遂行されるコンテンツディスプレイ方法のフローチャートである。
【図１５】望ましい一実施形態による、分割ライン追加機能について説明するための図面である。
【図１６】望ましい一実施形態による、分割ライン削除機能について説明するための図面である。
【図１７】望ましい実施形態によるデバイスのブロック図である。
【図１８】望ましい実施形態によるデバイスのブロック図である。
【図１９】望ましい一実施形態による、コンテンツディスプレイシステムについて説明するための図面である。
【図２０】図１９のシステムに基づいたデバイスの動作フローチャートである。
【発明を実施するための形態】
【００２８】
望ましい実施形態で使用される用語について簡略に説明し、望ましい実施形態について具体的に説明する。
【００２９】
望ましい実施形態で使用される敍述的または技術的な用語を含む全ての用語は、当分野に携わる技術者に自明な意味を有すると理解されなければならない。しかし、該用語は、当分野に携わる技術者の意図、判例、または新たな技術の出現などによって、異なる意味を有することにもなる。また、一部用語は、出願人によって任意に選択され、その場合、選択された用語の意味は、望ましい実施形態の詳細な説明で詳細に説明する。従って、望ましい実施形態で使用される用語は、明細書全般にわたる詳細な説明と共に、用語の意味に基づいて定義されなければならないであろう。
【００３０】
また、ある部分がある構成要素を「含む」とするとき、それは、特別に反対となる記載がない限り、他の構成要素を除くものではなく、他の構成要素をさらに含んでもよい。また、以下の詳細な説明において、「部」及び「モジュール」のような用語は、少なくとも１つの機能や動作を処理する単位を示し、それは、ハードウェアまたはソフトウェアによって具現されるか、あるいはハードウェアとソフトウェアとの結合によっても具現されるのである。
【００３１】
ここで使用されているように、用語「及び／または」は、１以上の関連リストされたアイテムのうち一つ及び全ての組み合わせを含む。「少なくとも１つの」のような表現が構成要素リストに先行するとき、構成要素の全体リストを変更し、リストの個別構成要素を変更するものではない。
【００３２】
参照番号は、同封された図面で説明される望ましい実施形態において詳細にさせるであろう。明細書全体を通じて、同じ図面符号は、同じ構成要素を示す。それと係わり、望ましい実施形態は、異なる形態でもって具現され、ここで説明する実施形態に限定されるものではない。従って、望ましい実施形態は、ただ本明細書の側面について説明するために、図面を参照して以下で説明する。
【００３３】
図１Ａないし図１Ｃは、１以上の望ましい実施形態による、コンテンツ及びレファレンスコンテンツについて説明するための図面である。
【００３４】
図１Ａは、コンテンツがディスプレイされているデバイス１００の画面１１０を図示している。図１Ａを参照すれば、画面１１０にディスプレイされるコンテンツは、絵１１１、テキスト１１２及び動画１１３のうち少なくとも一つを含むマルチメディアコンテンツにもなるが、１以上の他の望ましい実施形態は、それに制限されるものではない。
【００３５】
デバイス１００の画面１１０にディスプレイされているコンテンツは、ページ単位にもなる。例えば、図１Ａのデバイス１００の画面１１０に現在ディスプレイされているコンテンツは、現在ページに含まれたコンテンツにもなり、前記現在ページの直前の画面１１０にディスプレイされたコンテンツは、以前ページに含まれたコンテンツにもなり、前記現在ページのすぐの次の画面１１０にディスプレイされるコンテンツは、次のページに含まれたコンテンツにもなる。
【００３６】
しかし、画面１１０にディスプレイされているコンテンツは、画面単位であると述べられる。例えば、画面１１０にディスプレイされているコンテンツは、現在画面に含まれたコンテンツ、以前画面に含まれたコンテンツ、または次の画面に含まれたコンテンツにもなる。
【００３７】
以前ページに含まれたコンテンツ、現在ページに含まれたコンテンツ、及び次のページに含まれたコンテンツは、画面１１０にディスプレイされるコンテンツによって、互いに部分的に重複される。例えば、ウェブニュースのように、ページが指定されていないコンテンツが画面１１０にディスプレイされれば、以前ページに含まれたコンテンツと、現在ページに含まれたコンテンツは、部分的に重複され、現在ページに含まれたコンテンツと、次のページに含まれたコンテンツは、部分的に重複される。ページが指定されるコンテンツの場合にも、コンテンツが上下スクロール（scroll）、左右スクロールまたはスワイプ（swipe）のようなユーザ入力によって連続的に見ることができる形態（そしてページ単位ではない）で画面１００上にディスプレイされれば、ページに含まれるコンテンツは、部分的に重複される。
【００３８】
望ましい１以上の実施形態によって、ページに含まれるコンテンツは、実際ページに含まれたコンテンツと異なることがある。例えば、電子書籍の場合でのように、コンテンツがページによって区分されるとき、コンテンツは、２枚のページ単位で画面１１０上にディスプレイされ、１枚のページに含まれるコンテンツは、電子書籍の２枚のページに含まれるコンテンツに相応する。
【００３９】
望ましい１以上の実施形態によるコンテンツは、文書ファイル、電子書籍、インターネットニュース、ウェブポータル（web  portal）によって提供されるウェブページ、論文などを含んでもよいが、１以上の他の望ましい実施形態は、それに制限されるものではない。前述のコンテンツに対して、１以上の望ましい実施形態によって、ページに含まれるコンテンツは、文書ファイルの一部、電子書籍の一部、インターネットニュースの一部、ウェブポータルによって提供されるウェブページの全部または一部、または論文の一部でもある。
【００４０】
１以上の望ましい実施形態による一ページに含まれるコンテンツの量は、画面１１０のサイズによって異なる。例えば、画面１１０のサイズが５インチであるとき、１ページに含まれるコンテンツの量は、画面１１０のサイズが１０インチであるとき、１ページに含まれるコンテンツの量より少ない。しかし、１ページに含まれるコンテンツの量は、画面１１０のサイズと係わりなく同一であり、コンテンツに含まれた情報のディスプレイサイズは、画面１１０のサイズによって異なりもする。
【００４１】
図１Ｂは、レファレンスコンテンツが選択された画面を図示している。図１Ｂにおいて、図１Ａに図示された画面１１０上にディスプレイされているページに含まれた絵１１１が、レファレンスコンテンツとして選択された例である。
【００４２】
レファレンスコンテンツは、ユーザがデバイス１００を利用してコンテンツを見るときに参照する情報である。前記レファレンスコンテンツは、前記コンテンツに含まれた一部情報でもあるが、前記コンテンツに含まれない情報でもある。例えば、ユーザがデバイス１００を利用して論文を見るとき、レファレンスコンテンツは、論文に含まれた一部情報でもあるが、論文に含まれない情報、例えば、他の論文に含まれた情報の一部、またはデバイス１００を介して現在見ることができる論文と異なる文書でもある。レファレンスコンテンツが、コンテンツに含まれていない情報の一部であるとき、レファレンスコンテンツは、前もって保存された情報（例えば、レファレンスコンテンツとして保存された情報）から、ユーザによって読み取られて得られる。前もって保存されたレファレンスコンテンツは、デバイス１００に保存されるか、あるいはデバイス１００と接続可能なサーバ、デバイス１００と接続可能な外部デバイス（または、他のデバイス）などに保存される。外部デバイスは、保存機能を有し、外部処理デバイスまたは外部保存デバイス（フラッシュメモリ、ハードディスクドライブ、光記録媒体など）にもなる。
【００４３】
レファレンスコンテンツが、デバイス１００を利用して現在見ているコンテンツ（例えば、論文）に含まれた情報であるならば、レファレンスコンテンツは、コンテンツに含まれた情報のうち、レファレンスコンテンツ以外の情報を見るときに参照される情報でもある。レファレンスコンテンツが、デバイス１００を利用して現在見ているコンテンツに含まれていない情報であるならば、レファレンスコンテンツは、コンテンツに含まれた情報を見るときに参照する情報にもなる。
【００４４】
図１Ｃは、レファレンスコンテンツが選択された後、他のページの画面１００を図示している。図１Ｃに図示されているように、デバイス１００の画面１１０上にディスプレイされているコンテンツが変更されても（または、ページが転換されても）、レファレンスコンテンツのディスプレイは、維持される。従って、ユーザは、デバイス１００の画面１１０を介してレファレンスコンテンツを見ながら、レファレンスコンテンツを含んでいないコンテンツ（例えば、他のページのコンテンツ）を見ることができる。
【００４５】
図１Ｃに図示されているように、デバイス１００の画面１１０を介してレファレンスコンテンツを見るために、レファレンスコンテンツは、デバイス１００の画面１１０を介してディスプレイされているコンテンツのウィンドウと独立したウィンドウにディスプレイされもする。
【００４６】
図２Ａないし図２Ｃは、望ましい１つの以上の実施形態による、レファレンスコンテンツのウィンドウ２１０と、デバイス１００の画面１１０にディスプレイされているコンテンツのウィンドウ２２０との関係について説明している。
【００４７】
１以上の望ましい実施形態によるレファレンスコンテンツをディスプレイするために、図２Ａに図示されているように、レファレンスコンテンツのウィンドウ２１０のディスプレイレイヤは、コンテンツのウィンドウ２２０のディスプレイレイヤよりさらに高く設定される。レファレンスコンテンツのウィンドウ２１０のディスプレイレイヤは、トップレベル（top  level）でもある。さらに、レファレンスコンテンツのウィンドウ２１０のディスプレイ状態は、不透明状態に設定される。それによってユーザは、レファレンスコンテンツのウィンドウ２１０と重なるコンテンツのウィンドウ２２０上のディスプレイ領域に含まれた情報を見ることができない。他の望ましい実施形態によって、ディスプレイ状態は、半透明になるか、あるいはユーザによって調整される（例えば、透明レベルは、ユーザによって調整される）。
【００４８】
ユーザが、レファレンスコンテンツのウィンドウ２１０と重なるコンテンツのウィンドウ２２０上のディスプレイ領域に含まれた情報を見ること願うとき、望ましい一実施形態によって、レファレンスコンテンツのウィンドウ２１０のディスプレイレイヤは、図２Ｂに図示されているように、コンテンツのウィンドウ２２０のディスプレイレイヤよりさらに低く設定される。それによってユーザは、レファレンスコンテンツウィンドウ２１０によって隠れたコンテンツのウィンドウ２２０の、前記ディスプレイ領域に含まれた情報を見ることができる。
【００４９】
レファレンスコンテンツのウィンドウ２１０によって隠れたコンテンツのウィンドウ２２０のディスプレイ領域の情報を見るために、図２Ｃに図示されているように、ユーザの入力によって、レファレンスコンテンツのウィンドウ２１０のディスプレイ位置は、移動される。
【００５０】
図３は、望ましい一実施形態による、デバイス１００によって遂行されるコンテンツディスプレイ方法のフローチャートである。図４は、図３の方法によるデバイス１００の画面１１０上にディスプレイされているコンテンツの図面を図示している。図３の方法は、図４を参照して説明する。
【００５１】
段階Ｓ３１０において、図４の（４１０）に図示されているように、デバイス１００の画面１１０にコンテンツをディスプレイしているとき、図４の（４２０）に図示されているように、レファレンスコンテンツに対する設定入力４０１が受信されれば（Ｓ３２０）、デバイス１００は、画面１１０上に分割ライン４０２をディスプレイする（Ｓ３３０）。
【００５２】
図４の（４２０）に図示されているように、設定入力４０１は、画面１１０の２つの下端（bottom）コーナーに対するマルチタッチ入力を含むが、１以上の実施形態は、それに制限されるものではない。前記マルチタッチ入力は、画面１１０のサイズによって、ユーザの両手によって遂行されるか、あるいはユーザの片手の２本の指によって遂行される。前記マルチタッチ入力が所定時間受信されれば、マルチタッチ入力は、設定入力４０１として認識される。
【００５３】
設定入力４０１は、デバイス１００の２つの上端（top）コーナーに対するマルチタッチ入力、デバイス１００の２つの左側コーナーに対するマルチタッチ入力、及びデバイス１００の２つの右側コーナーに対するマルチタッチ入力のうち一つを含んでもよい。
【００５４】
図５は、他の望ましい一実施形態による、レファレンスコンテンツに対する設定入力について説明するための図面である。図５を参照すれば、設定入力は、デバイス１００の画面１１０の最左側の１ヵ所を１本の指でタッチした状態（５０１）を維持しながら、他の指で前述の指がタッチした地点に隣接する地点から、画面１１０の最右側まで水平方向にドラッグする（５０２）タッチジェスチャを含んでもよい。
【００５５】
同様に、設定入力は、１本の指が画面１１０の最右側の１ヵ所をタッチした状態を維持しながら、他の指で、前述の指がタッチした地点に隣接する地点から、画面１１０の最左側まで水平方向にドラッグするタッチジェスチャを含んでもよい。
【００５６】
さらに、設定入力は、１本の指が、画面１１０の最上側の１ヵ所をタッチした状態を維持しながら、他の指で、前述の指がタッチした地点に隣接する地点から画面１１０の最下側まで垂直方向にドラッグするタッチジェスチャを含んでもよい。
【００５７】
また、設定入力は、１本の指が、画面１１０の最下側の１ヵ所をタッチした状態を維持しながら、他の指で、前述の指がタッチした地点に隣接する地点から画面１１０の最上側まで垂直方向にドラッグするタッチジェスチャを含んでもよい。
【００５８】
設定入力のために使用される２本の指は、同じ手の指にもなるが、互いに異なる手の指にもなる。同様に、前述の望ましい実施形態は、１以上の指によって遂行されるタッチジェスチャに係わるものであるが、１以上の望ましい実施形態は、それに制限されるものではない。例えば、他の望ましい実施形態により、タッチジェスチャは、スタイラスのような入力デバイスによっても遂行される。
【００５９】
図４の（４２０）に図示された前記分割ライン４０２は、コンテンツの分割を示すラインである。分割ライン４０２は、レファレンスコンテンツで設定可能なコンテンツの単位について、ユーザに案内するために使用されるので、仮想分割ライン（virtual  division  line）またはガイドライン（guide  line）にもなる。前記分割ライン４０２がディスプレイされるコンテンツは、前記設定入力が受信されるとき、画面１１０上にディスプレイされているページに含まれたコンテンツである。段階Ｓ３１０でのコンテンツディスプレイは、デバイス１００がコンテンツ再生アプリケーションまたはコンテンツリーダアプリケーションのようなアプリケーションを実行することによって遂行されるが、１以上の他の実施形態は、それに制限されるものではない。
【００６０】
デバイス１００は、前記ページに含まれたコンテンツのレイアウト情報を分析し、分割ライン４０２を生成することができる。レイアウト情報は、コンテンツ単位、ページ単位などで定義される。レイアウト情報は、識別項目情報（例えば、数式、タイトル情報、及びテキスト・絵・動画のようなコンテンツタイプ情報）、文段識別情報（例えば、パラグラフ情報、ページ情報及びカラム情報）、コンテンツの位置情報（例えば、ページ情報、カラム情報及びパラグラフ情報のうち少なくとも一つを使用して表現された位置情報）を含んでもよい。レイアウト情報は、コンテンツのメタデータに含まれる。メタデータは、レイアウト情報が、前述のコンテンツ単位またはページ単位で参照されるように構成される。
【００６１】
図４の（４３０）に図示されているように、分割ライン４０２に基づいて分割されたコンテンツに対する選択入力が受信されれば（Ｓ３４０）、図４の（４４０）に図示されているように、デバイス１００は、選択入力に基づいて選択されたコンテンツ（例えば、絵１１１）をレファレンスコンテンツとして設定する（Ｓ３５０）。レファレンスコンテンツとして設定されたコンテンツは、デバイス１００によって管理されるように別途に保存される。
【００６２】
１ページに含まれたマルチコンテンツ（例えば、動画及びテキスト）は、レファレンスコンテンツとして設定される。その場合には、１つのレファレンスコンテンツのウィンドウに、前記コンテントツがディスプレイされもする。また、他のページに含まれたコンテンツは、レファレンスコンテンツとして設定されてもよい。そのような場合、レファレンスコンテンツのウィンドウは独立する。例えば、１ページに含まれたコンテンツの一部が第１レファレンスコンテンツに設定され、５ページに含まれたコンテンツの一部が第２レファレンスコンテンツに設定された場合、前記第１レファレンスコンテンツのウィンドウと、前記第２レファレンスコンテンツのウィンドウは、互いに独立する。
【００６３】
レファレンスコンテンツの複数のウィンドウが設定されれば、後に設定されたウィンドウのディスプレイレイヤが、以前に設定されたウィンドウのディスプレイレイヤよりさらに高いことがある。そのような場合、以前に設定されたレファレンスコンテンツのウィンドウの一部または全部は、後で設定されたウィンドウによって隠れてしまう。複数個のレファレンスコンテンツのウィンドウ設定を示す情報（例えば、サイン、シンボル、アイコンのような表示）をレファレンスコンテンツのウィンドウ内のディスプレイ位置、レファレンスコンテンツのウィンドウ周辺のディスプレイ位置、またはコンテンツのウィンドウ境界線上にディスプレイすることができる。
【００６４】
複数個のレファレンスコンテンツのウィンドウのディスプレイレイヤの順序は、ユーザの入力によって変更される。複数のレファレンスコンテンツのウィンドウのディスプレイ位置が互いに異なる場合、複数のレファレンスコンテンツのウィンドウのディスプレイレイヤは、同一でもある。そのような場合、複数のレファレンスコンテンツのウィンドウは、１枚のページを介して同時に見ることができる。レファレンスコンテンツのウィンドウのディスプレイ位置は、選択されたコンテンツのディスプレイ位置によって決定され、ユーザ入力によって変更される。
【００６５】
レファレンスコンテンツの複数のウィンドウが設定される場合、識別情報は、レファレンスコンテンツの複数のウィンドウそれぞれに割り当てられ、デバイス１００に保存される。
【００６６】
レファレンスコンテンツを示す表示（例えば、サイン、シンボル、アイコン、鍵のような特定のイメージ、またはマークなど）は、レファレンスコンテンツのウィンドウ内に、ディスプレイ位置、レファレンスコンテンツのウィンドウの境界ライン上、レファレンスコンテンツのウィンドウに隣接したディスプレイ位置（コンテンツのウィンドウに含まれるディスプレイ領域）などにディスプレイすることができる。前記レファレントコンテンツを示す表示と、前記複数個のレファレンスコンテンツのウィンドウ設定を示す表示は、異なるように設定される。
【００６７】
図４の（４３０）を参照すれば、前記選択入力は、マルチタッチを入力した指のうち１本の指を選択するコンテンツに向かう方向にドラッグするタッチジェスチャ４３１を含むが、１以上の望ましい実施形態は、それに制限されるものではない。
【００６８】
図６Ａ及び図６Ｂは、望ましい他の実施形態による、分割されたコンテンツに対する選択入力について説明する図面である。選択入力は、図６Ａ及び図６Ｂに図示されているように、分割ラインに基づく。例えば、図６Ａに図示されているように、選択入力は、選択するコンテンツに隣接した（または、周辺の）分割ラインをタッチし（６１１）、分割ラインをタッチした指が選択するコンテンツがディスプレイされているディスプレイ領域側（例えば、絵１１１が選択される場合、北西方向）に、ドラッグ（参照番号（６１２）で図示されているように）するタッチジェスチャに基づく。
【００６９】
タッチ地点６１１を基に、絵１１１の下のテキストを選択しようとすれば、選択入力は、指がタッチ地点６１１から西南方向にドラッグするタッチジェスチャに基づく。絵１１１、及び絵１１１の下のテキストをいずれも選択しようとすれば、選択入力は、指が図６Ｂに図示されているように、タッチ地点６１１から分割ラインに沿ってドラッグ（図６Ｂの参照番号（６１３）によって図示されているように）するタッチジェスチャに基づく。
【００７０】
図３の段階Ｓ３５０は、前記選択入力に基づいて選択されたコンテンツを、前記ページに含まれたコンテンツのウィンドウと独立したウィンドウにディスプレイして遂行される。そのように、コンテンツのウィンドウと独立したウィンドウに選択されたコンテンツをディスプレイするために、デバイス１００は、前記選択入力が受信されれば、選択されたコンテンツをコピー（copy）し、レファレンスコンテンツ用ウィンドウを開き、開かれられたレファレンスコンテンツ用ウィンドウに、前記コピーしたコンテンツを貼り付ける（paste）動作を遂行することができる。前記レファレンスコンテンツ用ウィンドウは、クリップボード（clip  board）と類似して管理されるが、１以上の他の望ましい実施形態は、それに制限されるものではない。
【００７１】
図７は、望ましい他の実施形態による、デバイス１００によって遂行されるコンテンツディスプレイ方法のフローチャートである。図７において、図３の方法と比較してみれば、レファレンスコンテンツを隠す動作が追加されている。
【００７２】
図７の段階Ｓ７１０ないし段階Ｓ７５０は、図３の段階Ｓ３１０ないし段階Ｓ３５０と実質的に同一に動作されるので、それに係わる詳細な説明は、ここで繰り返して行わない。段階Ｓ７６０において、デバイス１００は、ユーザのレファレンスコンテンツ隠し要請によって、レファレンスコンテンツを隠す。レファレンスコンテンツを隠すことは、前記図２Ｂで言及したように、レファレンスコンテンツのウィンドウのディスプレイレイヤを、コンテンツのウィンドウのディスプレイレイヤよりさらに低いレイヤに設定する方式で遂行される。従って、レファレンスコンテンツを隠すことは、レファレンスコンテンツのウィンドウを隠すことを示す。
【００７３】
図８は、望ましい実施形態によって、レファレンスコンテンツのウィンドウを隠す動作による画面の図面である。図８の（８１０）画面に図示されているように、レファレンスコンテンツが設定されたページにおいて、レファレンスコンテンツ隠し要請を示すユーザ入力８２１受信に応答し、デバイス１００は、レファレントコンテンツのウィンドウを図８の（８２０）画面に図示されているように隠す。ユーザ入力８２１は、所定時間よりさらに長い時間レファレントコンテンツを示す表示（例えば、サイン、シンボル、アイコンなど）をタッチする動作にもなるが、１以上の他の望ましい実施形態は、それに制限されるものではない。
【００７４】
また、レファレンスコンテンツのウィンドウの隠し状態を示すサイン８３１（例えば、特定のイメージ、特定のシンボルなど）が、図８の（８３０）に図示されているように、コンテンツのウィンドウ内のディスプレイ位置、コンテンツのウィンドウの境界ライン上、またはコンテンツのウィンドウに隣接したディスプレイ位置にディスプレイされ、ユーザは、レファレンスコンテンツのウィンドウが隠されたページであるということを容易に判断する。前記サイン８３１は、デバイス１００のデフォルト情報を利用するか、あるいはユーザによって多様に設定される。
【００７５】
図９は、望ましい他の実施形態によるデバイス１００によって遂行されるコンテンツディスプレイ方法のフローチャートである。図９において、図３の方法と比較してみれば、レファレンスコンテンツ実行動作が追加されている。
【００７６】
図９の段階Ｓ９１０ないし段階Ｓ９５０は、図３の段階Ｓ３１０ないし段階Ｓ３５０段階と実質的に同一に動作されるので、ここで、それに係わる詳細な説明を繰り返して行わない。段階Ｓ９６０において、デバイス１００は、ユーザのレファレンスコンテンツ実行命令に基づいて、レファレンスコンテンツのウィンドウでレファレンスコンテンツを実行する。
【００７７】
図１０は、図５のレファレンスコンテンツ設定入力によって、レファレンスコンテンツが設定された後、コンテンツをディスプレイする図面である。図５において、動画コンテンツがレファレンスコンテンツに設定される。レファレンスコンテンツに対する実行要請入力１０１０が受信されれば、コンテンツのウィンドウ上において、上下スクロールを示すユーザ入力１０１１によって、コンテンツを変更しながら、デバイス１００は、レファレンスコンテンツのウィンドウ上で動画を再生することができる。
【００７８】
図１１は、望ましい他の実施形態による、デバイス１００によって遂行されるコンテンツディスプレイ方法のフローチャートである。図１１において、図３の方法と比較してみれば、レファレンスコンテンツに対するノート動作が追加される。
【００７９】
図１１の段階Ｓ１１１０ないし段階Ｓ１１５０は、図３の段階Ｓ３１０ないし段階Ｓ３５０段階と実質的に同一であるので、ここで、それに係わる詳細な説明は、繰り返して行わない。
【００８０】
段階Ｓ１１６０において、デバイス１００は、ユーザのレファレンスコンテンツに対するノート要請入力を受信すれば、段階Ｓ１１７０において、デバイス１００は、ノートウィンドウを開く。ノートウィンドウは、レファレンスコンテンツに対するユーザのコメントまたはノートを受信するためのウィンドウである。従って、ユーザは、レファレントコンテンツと、デバイス１００の画面１１０上にディスプレイされるコンテンツとに基づいたノートウィンドウに対するコメントを保存し、後でノートウィンドウを介して、コメントを見ることができる。ノートウィンドウに記録されたコメントは、相応するレファレンスコンテンツのウィンドウとマッピングされ、デバイス１００に保存される。ノートウィンドウは、相応するレファレンスコンテンツのウィンドウが開かれた場合、開かれた状態で残っている。
【００８１】
図１２Ａ及び図１２Ｂは、望ましい一実施形態による、ノートウィンドウを開いたり閉じたりした画面の図面である。
【００８２】
図１２Ａの（１２１０）に図示されているように、指がレファレンスコンテンツのウィンドウの境界ラインをタッチし、ノートウィンドウ生成を所望方向にドラッグするユーザ入力（ノート要請入力）が受信されれば、図１２Ａの（１２２０）に図示されているように、デバイス１００の画面１１０に、ノートウィンドウ１２２１が開かれる。１以上の望ましい実施形態において、ノート要請入力は、前述の入力に制限されるものではなく、任意の所定入力タイプがノートウィンドウを生成するためにも具現される。
【００８３】
図１２Ａの（１２２０）に図示されているように、ノートウィンドウ１２２１は、レファレンスコンテンツのウィンドウに隣接した位置に、不透明な状態でディスプレイされもする。ノートウィンドウが開かれた後、ユーザによって入力される情報（コメント）は、ノートウィンドウに保存される。ノートウィンドウ１２２１に保存された情報は、ノートウィンドウデータとして、デバイス１００に保存される。該望ましい実施形態において、ノートウィンドウ１２２１が透明にディスプレイされるが、１以上の他の望ましい実施形態は、それに制限されるものではない。例えば、他の望ましい実施形態により、ノートウィンドウ１２２１は、半透明にディスプレイされもする。
【００８４】
また、図１２Ｂに図示されているように、ノートウィンドウ１２５２は、指でレファレンスコンテンツのウィンドウの境界ラインをタッチした後、下にドラッグするユーザ入力（ノート要請入力）１２５１によっても開かれる。
【００８５】
ノートウィンドウ１２２１に対する隠し要請入力によって、デバイス１００は、図１２Ａの（１２３０）のように、ノートウィンドウ１２２１を隠すことができる。ノートウィンドウ１２２１は、コンテンツのウィンドウのディスプレイレイヤよりさらに低くなるように、ノートウィンドウ１２２１のディスプレイ階層を設定して隠すことができる。１以上の望ましい実施形態は、それに制限されるものではない。例えば、他の望ましい実施形態によって、ノートウィンドウ１２２１は、十分に透明なノートウィンドウを作って隠すことができる。ノートウィンドウ１２２１に対する隠し要請入力によって、ノートウィンドウ１２２１が隠されれば、図１２Ａの（１２４０）に図示されているように、レファレントコンテンツのウィンドウ内に、ディスプレイ位置、レファレンスコンテンツのウィンドウの境界ライン、またはレファレンスコンテンツのウィンドウに隣接したディスプレイ位置に、ノートウィンドウ１２２１の隠し状態を示すサイン（例えば、特定イメージ、特定シンボルなど）がディスプレイされもする。前記レファレンスコンテンツのウィンドウに隣接したディスプレイ位置は、コンテンツのウィンドウに含まれる。
【００８６】
図１３は、望ましい他の実施形態による、デバイス１００によって遂行されるコンテンツディスプレイ方法のフローチャートである。図１３で、図３の方法と比較してみれば、レファレンスコンテンツの設定解除動作が追加されている。
【００８７】
図１３の段階Ｓ１３１０ないし段階Ｓ１３５０は、図３の段階Ｓ３１０ないし段階Ｓ３５０段階と実質的に同一に動作されるので、ここで、それに係わる詳細な説明を繰り返さない。
【００８８】
段階Ｓ１３６０において、レファレンスコンテンツ設定解除要請入力が受信されれば、デバイス１００は、画面１１０上にディスプレイされているレファレンスコンテンツのウィンドウを閉じる。レファレンスコンテンツのウィンドウを閉じる間、デバイス１００は、レファレンスコンテンツに対する情報を保存することができる。
【００８９】
図１４は、望ましい他の実施形態による、デバイス１００によって遂行されるコンテンツディスプレイ方法のフローチャートである。図１４で、図３の方法と比較してみれば、分割ラインに対する編集動作が追加されている。
【００９０】
図１４の段階Ｓ１４１０ないし段階Ｓ１４３０、段階Ｓ１４６０及び段階Ｓ１４７０は、図３の段階Ｓ３１０ないし段階Ｓ３５０段階と実質的に同一であるので、ここで、それに係わる詳細な説明を繰り返さない。
【００９１】
図１４の段階Ｓ１４４０において、分割ライン編集入力が受信されれば、段階Ｓ１４５０において、デバイス１００は、分割ライン編集入力に基づいて、デバイス１００の画面１１０にディスプレイされている分割ラインを編集することができる。分割ラインは、分割ラインを追加したり削除したり、あるいは分割ラインをドラッグしたりするなどということによって編集されるが、１以上の望ましい実施形態は、それに制限されるものではない。
【００９２】
図１５は、望ましい一実施形態による分割ライン追加動作について説明するための図面である。
【００９３】
分割ラインが、デバイス１００の画面１１０にディスプレイされた後、図１５の（１５１０）に図示されているように、分割ライン設定入力１５１１（または、分割ライン追加入力）が受信されれば、デバイス１００は、図１５の（１５２０）に図示されているように、追加分割ライン１５２１を画面１１０にディスプレイする。分割ライン設定入力は、ディスプレイ位置において、前記図５に図示されているようなタッチジェスチャを介して行われるが、１以上の他の望ましい実施形態は、それに制限されるものではない。
【００９４】
図１６は、望ましい一実施形態による分割ライン削除動作について説明するための図面である。
【００９５】
分割ラインが、デバイス１００の画面１１０にディスプレイされた後、図１６の（１６１０）に図示されているように、特定分割ラインに対する削除入力１６１１が受信されれば、当該分割ラインが削除される。それによって、動画コンテンツと、動画コンテンツ下端のテキストは、１つのコンテンツに分類される。
【００９６】
分割ライン削除動作は、全ての分割ラインを削除するための入力と、部分分割ライン削除入力とを選択することができるメニュー項目が提供される。部分分割ライン削除入力が選択されれば、図１６に図示されているように、部分分割ラインは、部分的に削除される。全ての分割ライン削除入力が選択されれば、一度にデバイス１００の画面１１０上にディスプレイされていた全ての分割ラインが削除される。全ての分割ラインが削除されれば、デバイス１００の画面１１０は、分割ラインがディスプレイされる前のディスプレイ状態にリターンされる。
【００９７】
分割ライン追加動作及び分割ライン削除動作は、メニュー項目に基づいて選択される。例えば、分割ライン編集要請入力が受信されれば、デバイス１００は、分割ライン追加動作及び分割ライン削除動作を選択することができるメニュー窓を画面１１０上にディスプレイすることができる。画面１１０上にディスプレイされるメニュー窓を介して、分割ライン追加動作が選択されれば、図１５に図示されているように、分割ラインは、追加してディスプレイされもする。画面１１０上にディスプレイされるメニュー窓を介して、分割ライン削除動作が選択されれば、図１６に図示されているように、ディスプレイされている分割ラインが削除される。そのような分割ライン削除動作を利用して、ユーザは、所望するレファレンスコンテンツをさらに正確に設定することができる。
【００９８】
図１７及び図１８は、望ましい一実施形態によるデバイス１００のブロック図である。図１７を参照すれば、デバイス１００は、ユーザ入力１７１０（例えば、ユーザ入力部）、ディスプレイ１７２０、制御器１７３０を含んでもよい。１以上の他の望ましい実施形態においてデバイス１００は、図１７に図示された構成要素よりさらに多く、あるいはさらに少なく含んでもよい。
【００９９】
例えば、図１８に図示されているように、デバイス１００は、ディスプレイ１７２０、オーディオ出力１８２１と振動モータ１８２２とをさらに含む出力デバイス１８２０、センサ１８３０（例えば、センシングモジュール）、通信機１８５０（例えば、通信モジュール）、Ａ／Ｖ（audio／video）力１８６０（例えば、Ａ／Ｖ入力モジュール）及びメモリ１８７０をさらに含んでもよい。
【０１００】
図１７に図示されたユーザ入力１７１０は、ユーザがデバイス１００を制御するためのデータを受信するためのユニットでもある。例えば、ユーザ入力１７１０は、キーパッド（key  pad）、ドームスイッチ（dome  switch）、タッチスクリーンまたはパッド（例えば、接触式静電容量方式、圧力式抵抗膜方式、赤外線感知方式、表面超音波伝導方式、積分式張力測定方式、ピエゾ効果方式など）、ジョグホイール、ジョグスイッチなどのうち少なくとも一つを含んでもよいが、１以上の望ましい実施形態は、それに制限されるものではない。
【０１０１】
ユーザ入力１７１０は、ディスプレイ１７２０にコンテンツがディスプレイされているとき、レファレンスコンテンツ設定入力を受信し、ディスプレイ部１７２０に分割ラインがディスプレイされるとき、分割ラインに基づいて分割されたコンテンツに対する選択入力を受信することができる。望ましい一実施形態によって、ユーザ入力１７１０は、レファレンスコンテンツに対する隠し要請入力、レファレンスコンテンツに対する実行命令、レファレンスコンテンツに対するノート要請入力、レファレンスコンテンツに対するノート隠し入力、レファレンスコンテンツ設定解除入力及び分割ライン編集入力（分割ライン設定入力（分割ラインを追加するための入力）並びに分割ライン削除入力）などを受信することができるが、１以上の他の実施形態でそれに制限されるものではない。
【０１０２】
出力デバイス１８２０は、オーディオ信号、ビデオ信号または振動信号を出力することができるが、１以上の他の望ましい実施形態は、それに制限されるものではない。出力デバイス１８２０は、ディスプレイ１７２０、オーディオ出力１８２１及び振動モータ１８２２をディスプレイすることができるが、１以上の他の望ましい実施形態は、それらに制限されるものではない。
【０１０３】
ディスプレイ１７２０は、デバイス１００によって処理される情報をディスプレイすることができる。ディスプレイ１７２０は、前述の望ましい実施形態によって、前述の画面１１０に対応する。ディスプレイ１７２０は、前述のコンテンツ、レファレンスコンテンツ、分割ライン、及びレファレンスコンテンツのノートウィンドウをディスプレイすることができる。ディスプレイ１７２０は、タッチ入力によるメニューをディスプレイすることができる。
【０１０４】
ディスプレイ１７２０とタッチパッドとがレイヤ構造をなしてタッチスクリーンが提供されれば、ディスプレイ１７２０は、出力デバイス以外に、入力デバイスとしても使用される。ディスプレイ１７２０は、液晶ディスプレイ（liquid  crystal  display）、薄膜トランジスタ液晶ディスプレイ（thin  film  transistor-liquid  crystal  display）、有機発光ダイオード（organic  light-emitting  diode）、フレキシブルディスプレイ（flexible  display）、三次元ディスプレイ（３Ｄ  display）及び電気泳動ディスプレイ（ＥＰＤ：electrophoretic  display）のうち少なくとも一つを含んでもよい。デバイス１００の具現形態によって、デバイス１００は、少なくとも２個のディスプレイ１７２０を含んでもよい。そのとき、少なくとも２個以上のディスプレイ１７２０は、ヒンジ（hinge）を利用して互いに対向するか、あるいは隣接される。
【０１０５】
オーディオ出力１８２１は、通信機１８５０から受信されるか、あるいはメモリ１８７０に保存されたオーディオデータを出力する。また、オーディオ出力１８２１は、デバイス１００によって遂行される動作（例えば、コール信号受信音、メッセージ受信音またはアラーム）と係わるオーディオ信号を出力する。そのようなオーディオ出力１８２１には、スピーカ（speaker）、ブザー（buzzer）などが含まれる。
【０１０６】
振動モータ１８２２は、振動信号を出力することができる。例えば、振動モータ１８２２は、オーディオデータまたはビデオデータ（例えば、コール信号受信音、メッセージ受信音など）の出力に対応する振動信号を出力することができる。また、タッチスクリーンにタッチが入力される場合、振動モータ１８２２は、振動信号（例えば、ハプティックフィードバック）を出力することもできる。
【０１０７】
制御器１７３０は、一般的に、デバイス１００の全般的な動作を制御する。例えば、制御器１７３０は、メモリ１８７０に保存されたプログラムを実行することにより、ユーザ入力１７１０、出力デバイス１８２０、センサ１８３０、通信機１８５０、Ａ／Ｖ入力１８６０、メモリ１８７０などを全般的に制御することができる。制御器１７３０は、デバイス１００の動作を処理したり実行したりするプロセッサとして言及される。
【０１０８】
制御器１７３０は、ディスプレイ１７２０にコンテンツがディスプレイされているとき、レファレンスコンテンツに対する設定入力が受信されれば、設定入力が受信されたページに含まれたコンテンツの分割を示す分割ラインを、ディスプレイ１７２０にディスプレイすることができる。従って、制御器１７３０は、図３の段階Ｓ３３０で説明したように、設定入力が受信されたページに含まれたコンテンツのレイアウトを分析し、分割ラインを生成することができる。ディスプレイ１７２０にディスプレイされる分割ラインは、コンテンツ選択をユーザに案内するためのものであり、仮想の分割ラインである。ユーザ入力１７１０を介して、分割ラインに基づいて分割されたコンテンツに対する選択入力が受信されれば、制御器１７３０は、選択されたコンテンツを、レファレンスコンテンツとして設定することができる。
【０１０９】
制御器１７３０は、前記コンテンツがディスプレイされているコンテンツのウィンドウと独立したウィンドウに、レファレンスコンテンツとして設定された選択されたコンテンツをディスプレイすることができる。
【０１１０】
ユーザ入力１７１０を介して、レファレンスコンテンツのウィンドウに対する隠し要請入力が受信されれば、制御器１７３０は、レファレンスコンテンツのウィンドウのディスプレイレイヤを、コンテンツのウィンドウのディスプレイレイヤよりさらに低く設定し、レファレントコンテンツのウィンドウを隠すことができる。レファレンスコンテンツのウィンドウを隠す間、制御器１７３０は、レファレンスコンテンツ隠し状態を示すサインを、コンテンツのウィンドウ内に、ディスプレイ位置、コンテンツのウィンドウの境界ライン、またはコンテンツのウィンドウに隣接したディスプレイ位置にディスプレイすることができる。
【０１１１】
制御器１７３０は、ユーザ入力１７１０を介した、レファレンスコンテンツに対する実行命令受信に基づいて、レファレンスコンテンツのウィンドウ内で、レファレンスコンテンツを実行させることができる。
【０１１２】
制御器１７３０は、ユーザ入力１７１０を介したレファレンスコンテンツに対するノート要請入力受信に基づいて、レファレントコンテンツに係わるノートを入力することができるノートウィンドウを開くことができる。制御器１７３０は、ノートウィンドウを、レファレンスコンテンツのウィンドウに隣接した位置に、不透明にディスプレイすることができる。
【０１１３】
ユーザ入力１７１０を介して、ノートウィンドウに対する隠し要請入力が受信されれば、制御器１７３０は、ノートウィンドウを閉じることができる。ノートウィンドウを閉じるとき、制御器１７３０は、レファレントコンテンツのウィンドウ内に、ディスプレイ位置、レファレンスコンテンツのウィンドウの境界ライン、または前記レファレンスコンテンツに隣接したディスプレイ位置上に、前記ノートウィンドウの隠し状態を示すサインをディスプレイすることができる。ノートウィンドウを閉じるとき、制御器１７３０は、ノートウィンドウに係わるレファレンスコンテンツに係わる情報と、ノートウィンドウ内のユーザのコメントとを保存することができる。コメントの例は、テキスト及びシンボルを含んでもよいが、１以上の他の望ましい実施形態は、それらに制限されるものではない。
【０１１４】
ユーザ入力１７１０を介して、レファレンスコンテンツ設定解除入力が受信されれば、制御器１７３０は、ディスプレイ１７２０にディスプレイされているレファレンスコンテンツのウィンドウを閉じることができる。
【０１１５】
ディスプレイ１７２０に、分割ラインがディスプレイされた後、ユーザ入力１７１０を介して、分割ライン設定入力が受信されれば、制御器１７３０は、追加分割ラインを、ディスプレイ１７２０にディスプレイすることができる。制御器１７３０は、ディスプレイ１７２０に、分割ラインがディスプレイされた後、ユーザ入力１７１０を介して、分割ライン削除入力が受信されれば、ディスプレイ１７２０にディスプレイされている分割ラインを削除することができる。分割ライン削除は、前述のように全体分割ラインを削除するか、あるいは部分的に分割ラインを削除することができる。
【０１１６】
センサ１８３０は、デバイス１００の状態、またはデバイス１００周辺の状態を感知し、感知された状態を制御器１７３０に伝達することができる。
【０１１７】
センサ１８３０は、地磁気センサ（magnetic  sensor）、加速度センサ（acceleration  sensor；例えば、加速度計）、温度／湿度センサ、赤外線センサ、ジャイロスコープセンサ、位置センサ（例えば、ＧＰＳ（global  position  system））、気圧センサ、近接センサ、輝度センサ（illuminance  sensor）のようなＲＧＢセンサ、イメージセンサ、心拍センサなどのうち少なくとも一つを含むことができるが、各センサの動作は、当業者に理解されるので、それらに係わる詳細な説明は、ここで省略する。
【０１１８】
通信機１８５０は、デバイス１００及び外部デバイス、またはデバイス１００及びサーバとの通信を行うようにする少なくとも１以上の構成要素を含んでもよい。例えば、通信機１８５０は、近距離通信機１８５１、移動通信機１８５２及び放送受信機１８５３を含んでもよい。
【０１１９】
近距離通信機（short-range  wireless  communicator）１８５１の例としては、ブルートゥース（登録商標（Bluetooth））通信部、ＢＬＥ（Bluetooth  low  energy）通信部、近距離無線通信部（near  field  communication  unit）、ＷＬＡＮ（wireless  local  area  network；Ｗｉ−Ｆｉ（wireless  fidelity））通信部またはそのアダプタ、ジグビー（ZigBee）通信部、赤外線（ＩｒＤＡ：infrared  data  association）通信部、ＷＦＤ（Ｗｉ−Ｆｉ  direct）通信部、ＵＷＢ（ultra  wideband）通信部、Ａｎｔ＋通信部、高周波通信部を含んでもよい。
【０１２０】
移動通信機１８５２は、移動通信網上で、基地局、外部の端末、サーバのうち少なくとも一つと無線信号を送受信する。ここで、無線信号は、音声号信号、画像通話コール信号、または文字／マルチメディアメッセージ送受信による多様な形態のデータを含んでもよい。
【０１２１】
放送受信機１８５３は、放送チャンネルを介して、外部から放送信号、及び／または放送係わる情報を受信する。放送チャンネルの例としては、衛星チャンネル、地上波チャネルを含んでもよい。他の望ましい実施形態によって、デバイス１００が放送受信機１８５３を含まないこともある。
【０１２２】
Ａ／Ｖ入力１８６０は、オーディオ信号またはビデオ信号を受信するために使用され、カメラ１８６１とマイクロフォン１８６２とを含んでもよい。カメラ１８６１は、画像通話モードまたは撮影モードで、イメージセンサを介して、静止映像または動画などの画像フレームを得ることができる。イメージセンサを介してキャプチャされたイメージは、制御器１７３０、または別途のイメージ処理部を介して処理される。
【０１２３】
カメラ１８６１によって処理された画像フレームは、メモリ１８７０に保存されるか、あるいは通信機１８５０を介して外部に伝送される。デバイス１００は、端末機の構成によって、少なくとも２個以上がカメラ１８６１を含んでもよい。
【０１２４】
マイクロフォン１８６２は、外部のオーディオ信号を入力され、電気的な音声データに処理する。例えば、マイクロフォン１８６２は、外部デバイスまたは話者から、オーディオ信号を受信することができる。マイクロフォン１８６２は、外部のオーディオ信号を受信する間に発生するノイズを除去するための多様なノイズ除去アルゴリズムのうち一つを利用することができる。
【０１２５】
メモリ１８７０は、制御器１７３０によって遂行される処理及び制御のためのプログラム、ソフトウェア、コード、アルゴリズムなどを保存することができるし、入出力されるデータ（例えば、レファレンスコンテンツ、レファレンスコンテンツのノート、及びレファレンスコンテンツとノートとのマッピング情報など）を保存することができる。メモリ１８７０は、コンテンツのレイアウト情報を保存することができる。レイアウト情報は、ページ単位で分類されて保存される。
【０１２６】
メモリ１８７０は、フラッシュメモリ、ハードディスク、マルチメディアカードマイクロタイプ（multimedia  card  micro  type）メモリ、カードタイプメモリ（例えば、ＳＤ（secure  digital）カードまたはＸＤ（extreme  digital）カードなど）、ＲＡＭ（random  access  memory）、ＳＲＡＭ（static  random  access  memory）、ＲＯＭ（read  only  memory）、ＥＥＰＲＯＭ（electrically  erasable  and  programmable  read  only  memory）、ＰＲＯＭ（programmable  read  only  memory）、磁気メモリ、磁気ディスク、光ディスクなど少なくとも１つの記録媒体を含んでもよい。また、デバイス１００は、インターネット上で、メモリ１８７０の保存動作を遂行するウェブストレージ（web  storage）またはクラウドサーバを利用することもできる。
【０１２７】
メモリ１８７０に保存されたプログラムは、動作によって、複数個のモジュールに分類することができる。例えば、プログラムは、ＵＩ（user  interface）モジュール１８７１、タッチスクリーン・モジュール１８７２、アラーム・モジュール１８７３、アプリケーションモジュール１８７４、コンテンツディスプレイモジュール１８７５などに分類される。コンテンツディスプレイ・モジュール１８７５は、アプリケーション・モジュール１８７４に含まれもする。コンテンツディスプレイ・モジュール１８７５は、コンテンツ再生アプリケーションまたはコンテンツリーダアプリケーションを含んでもよい。
【０１２８】
ＵＩモジュール１８７１は、アプリケーションによってデバイス１００と連動される特化されたＵＩまたはＧＵＩ（graphic  user  interface）を提供することができる。タッチスクリーン・モジュール１８７２は、ユーザのタッチスクリーン上のタッチジェスチャを感知し、タッチジェスチャに係わる情報を制御器１７３０に伝達することができる。望ましい一実施形態によって、タッチスクリーン・モジュール１８７２は、レファレンスコンテンツ設定、隠しまたは解除を示すタッチジェスチャを認識することができる。タッチスクリーン・モジュール１８７２は、コントローラを含む別途のハードウェアで構成されてもよい。
【０１２９】
タッチスクリーンに対するタッチまたは近接タッチを感知するために、タッチスクリーンの内部または近傍に多様なセンサが具備される。例えば、触覚センサは、タッチスクリーンのタッチを感知するために使用される。触覚センサは、人が感じる程度において、特定物体に対する接触を感知する。触覚センサは、接触面の粗度、接触物体の硬度、及び接触地点の温度のような多様な情報を感知することができる。
【０１３０】
近接センサは、タッチスクリーン上のタッチを感知するために使用される。近接センサは、機械的接触を使用せず、電子系の力または赤外線を利用して、所定の検出面に接近したり近傍にあったりする物体を検出する。近接センサの例としては、透過型光電センサ、直接反射型光電センサ、ミラー反射型光電センサ、高周波発振型近接センサ、静電容量型近接センサ、磁気型近接センサ、赤外線近接センサなどを含む。ユーザのタッチジェスチャの例としては、タップピング（tapping）、タッチング＆ホールディング（touching  &  holding）、ダブルタップピング（double  tapping）、ドラッギング（dragging）、パンニング（panning）、フリッキング（flicking）、ドラッギング・アンド・ドロッピング（dragging  and  dropping）、スワイピング（swipping）、マルチフィンガータッチング（multi-finger  touching）などを含む。
【０１３１】
アラーム・モジュール１８７３は、デバイス１００のイベント発生を知らせるための信号を発することができる。デバイス１００のイベント発生例としては、コール信号受信、メッセージ受信、キー信号入力、日程お知らせなどがある。アラーム・モジュール１８７３は、ディスプレイ１７２０を介して、ビデオ信号形態でアラーム信号を出力することもでき、オーディオ出力１８２１を介して、オーディオ信号形態でアラーム信号を出力することもでき、または振動モータ１８２２を介して、振動信号形態でアラーム信号を出力することもできる。
【０１３２】
図１９は、望ましい一実施形態によるコンテンツディスプレイシステムについて説明するための図面である。図１９を参照すれば、デバイス１００によって設定されたレファレンスコンテンツ１９２１は、サーバ１９１０、デバイス１００のアクセサリ１９２０または携帯端末１９３０のうち少なくとも一つに伝送される。
【０１３３】
サーバ１９１０は、コンテンツ別に設定されたレファレンスコンテンツを管理することができる。従って、デバイス１００は、レファレンスコンテンツを伝送する間、関連コンテンツに係わる情報を伝送することができる。デバイス１００は、レファレンスコンテンツに対して識別情報を割り当て、サーバ１９１０で識別情報を伝送することができる。
【０１３４】
サーバ１９１０は、レファレンスコンテンツに係わる識別情報を利用して受信されたレファレンスコンテンツについてのリストを作成することができる。該リストは、ユーザがレファレンスコンテンツを選択するために、ユーザによって参照される情報と、サーバ１９１０によって管理されるレファレンスコンテンツを求めることができる情報と、を含んでもよいが、１以上の他の望ましい実施形態は、それに制限されるものではない。
【０１３５】
ユーザは、デバイス１００、または他のデバイスを利用して、サーバ１９１０に接続し、サーバ１９１０によって管理されているレファレントコンテンツを見ることができる。例えば、サーバ１９１０によってレファレンスコンテンツのリストが管理される場合、ユーザは、デバイス１００、または他のデバイスを利用して、リストをダウンロードされ、レファレンスコンテンツを選択的に見ることができる。他のユーザのデバイスがレファレンスコンテンツを見るために、他のユーザ用サーバ１９１０に接続されるので、レファレンスコンテンツは、ユーザと他のユーザとの間で共有される。前記他のユーザは、デバイス１００のユーザによって許容されたユーザでもある。
【０１３６】
デバイス１００は、レファレンスコンテンツに係わるノートに係わる情報を、サーバ１９１０に伝送することができる。それによって、サーバ１９１０は、レファレンスコンテンツに係わるノートに係わる情報を管理することができる。１つのレファレンスコンテンツに、複数個のノートが割り当てられる場合、サーバ１９１０は、複数個のノートに係わる識別情報を利用して、ユーザが選択することができる情報をデバイス１００に提供することができる。それによってユーザは、１つのレファレンスコンテンツに、複数個のノートがマッピングされているということが分かり、複数個のノートのうち一つを選択的に見ることができる。サーバ１９１０は、クラウドサーバまたはコンテンツ管理サーバを含んでもよい。
【０１３７】
アクセサリ１９２０及び携帯端末１９３０は、デバイス１００のユーザが所有するか、あるいは動作している他のデバイスでもある。デバイス１００によって設定されたレファレンスコンテンツ１９２１を、アクセサリ１９２０または携帯端末１９３０に伝送することによってユーザは、アクセサリ１９２０または携帯端末１９３０を介して、レファレンスコンテンツ１９２１を見ながら、デバイス１００を介してコンテンツを見ることができる。アクセサリ１９２０は、電子時計（例えば、スマート時計）、電子腕輪または電子めがねのようなディスプレイ機能を有してユーザが着用することができるデバイスまたは電子装身具にもなるが、１以上の他の望ましい実施形態は、それらに制限されるものではない。アクセサリ１９２０及び携帯端末１９３０は、サーバ１９１０からレファレンスコンテンツを受信することができる。
【０１３８】
携帯端末１９３０は、デバイス１００と類似した動作を有しているが、異なる規格を有するデバイスを含んでもよい。例えば、デバイス１００は、テブレットでもあり、携帯端末１９３０は、スマートフォンでもある。
【０１３９】
図２０は、図１９のシステムに基づいたデバイス１００の動作フローチャートである。図２０において、図３の方法と比較してみれば、外部デバイスに、レファレンスコンテンツを伝送する動作が追加されている。
【０１４０】
段階Ｓ２０１０ないし段階Ｓ２０５０は、図３の段階Ｓ３１０ないし段階Ｓ３５０と実質的に同一であるので、それらに係わる詳細な説明は、ここで繰り返して行わない。
【０１４１】
段階Ｓ２０６０において、デバイス１００は、設定されたレファレンスコンテンツを外部デバイスに伝送する。外部デバイスは、図１９のサーバ１９１０、アクセサリ１９２０、携帯端末１９３０のうち少なくとも一つを含んでもよい。
【０１４２】
サーバ１９１０に情報を伝送する場合、デバイス１００は、例えば、インターネットを介して、レファレンスコンテンツをサーバ１９１０に伝送することができる。伝送される情報は、レファレンスコンテンツ、レファレンスコンテンツに係わるコンテンツ、レファレンスコンテンツの位置情報、レファレンスコンテンツの識別情報のうち少なくとも一つを含んでもよいが、１以上の他の望ましい実施形態は、それらに制限されるものではない。
【０１４３】
アクセサリ１９２０と携帯端末１９３０とのうち少なくとも一つに情報が伝送される場合、デバイス１００は、近距離通信機１８５１に係わる前述の通信方式のうち一つを使用して、前述のレファレンスコンテンツに係わる情報を、アクセサリ１９２０と携帯端末１９３０とのうち少なくとも一つに伝送することができる。
【０１４４】
望ましい一実施形態によるデバイス１００は、レファレンスコンテンツを設定し、ユーザがレファレンスコンテンツ及びコンテンツを、１画面を介して同時に見ることができるようにすることにより、コンテンツを見ながら参照する所望するレファレンスコンテンツを求めるための動作を遂行せず、レファレンスコンテンツを見ることができる。
【０１４５】
望ましい一実施形態によるデバイス１００は、複数のレファレンスコンテンツを、サーバ１９１０を介して管理し、ユーザがコンテンツを見るたびに、手軽にレファレンスコンテンツを見ることができ、それに係わるユーザのコメント（ノート情報）を見ることができ、他のユーザと、レファレンスコンテンツ、及びユーザのコメントを共有することができる。デバイス１００が、レファレンスコンテンツに係わる情報を管理するとき、サーバ１９１０を経ず、他のユーザのデバイスとデバイス１００とを接続させ、レファレンスコンテンツ、及びそれと係わるユーザコメントを共有することができる。
【０１４６】
望ましい一実施形態によるデバイス１００は、デバイス１００と相互連動される外部デバイスにレファレンスコンテンツを伝送することにより、ユーザは、デバイス１００と、外部デバイスとを利用して、レファレンスコンテンツとコンテンツとを同時に見ることができる。
【０１４７】
前述の方法は、多様なコンピュータを使用して実行されるコンピュータプログラムで具現され、コンピュータ判読可能媒体に記録される。前記コンピュータ判読可能媒体は、プログラム命令、データファイル及びデータ構造のうち少なくとも一つを含んでもよい。前記コンピュータ判読可能媒体に記録されるプログラム命令は、特別に設計されるか、あるいはコンピュータソフトウェア分野で当業者に公知されている。コンピュータ判読可能記録媒体の例としては、ＲＯＭ、ＲＡＭ、ＣＤ（compact  disc）−ＲＯＭ、マグネチックテープ、フロッピー（登録商標）ディスク、光データ記録媒体などを含む。プログラム命令の例としては、コンパイラによって作られた機械語コードだけではなく、インタープリタを使用してコンピュータによって実行される高級言語コードを含む。また、１以上の前述の構成要素は、電気回路網、プロセッサ、マイクロプロセッサなどのうち少なくとも一つを含んでもよい。さらに、前述の望ましい実施形態は、ディスプレイを含むデバイスに係わるものであるが、１以上の他の望ましい実施形態は、それに制限されるものではなく、外部ディスプレイデバイス（例えば、セットトップボックス、オーディオ／ビデオ受信機、コンピュータデバイスなど）に映像を出力するイメージ処理デバイスにも適用される。
【０１４８】
以上、望ましい実施形態について、図面を参照して詳細に説明したが、本発明の権利範囲は、それらに限定されるものではなく、特許請求の範囲で定義されている本発明の基本概念を利用した、当業者の多くの変形及び改良形態も、本発明の権利範囲に属するのである。
【図１ａ】
2016534485.tif 000003
【図１ｂ】
2016534485.tif 000004
【図１ｃ】
2016534485.tif 000005
【図２Ａ】
2016534485.tif 000006
【図２Ｂ】
2016534485.tif 000007
【図２Ｃ】
2016534485.tif 000008
【図３】
2016534485.tif 000009
【図４】
2016534485.tif 000010
【図５】
2016534485.tif 000011
【図６ａ】
2016534485.tif 000012
【図６ｂ】
2016534485.tif 000013
【図７】
2016534485.tif 000014
【図８】
2016534485.tif 000015
【図９】
2016534485.tif 000016
【図１０】
2016534485.tif 000017
【図１１】
2016534485.tif 000018
【図１２ａ】
2016534485.tif 000019
【図１２ｂ】
2016534485.tif 000020
【図１３】
2016534485.tif 000021
【図１４】
2016534485.tif 000022
【図１５】
2016534485.tif 000023
【図１６】
2016534485.tif 000024
【図１７】
2016534485.tif 000025
【図１８】
2016534485.tif 000026
【図１９】
2016534485.tif 000027
【図２０】
2016534485.tif 000028
【国際調査報告】
2016534485.tif 000029
2016534485.tif 000030